(57)【要約】      （修正有）【課題】施工後にオーバーフロー管や取り付け内部を清掃・メンテナンスすることができるようにしたり、手指に付着した水の表面張力により操作部が取り付け箇所から飛び出すことを防ぐことのできる遠隔操作式排水栓装置の操作部構造を提供する。【解決手段】槽体１に設けられた排水口と、排水口内に配置され上下動することで該排水口の開閉を行う弁体と、弁体の開閉操作を行う操作部４と、使用者が押動する為の操作面４１を備え、且つ一方向に往復動作する第一動作体５と、第一動作体５の動作に連動し、且つ第一動作体５の動作方向とは相違する方向に動作する第二動作体６と、を備えた遠隔操作式排水栓装置の操作部構造において、第一動作体５の動作方向を第二動作体６の動作方向に変換する為の駆動機構部を第一動作体５及び第二動作体６に構成し、前記第一動作体５と第二動作体６を、解除可能な連結手段により連結したことを特徴とした。【選択図】図４
2020133239.tif 000002
【特許請求の範囲】
【請求項１】
槽体１に設けられた排水口１２と、
排水口１２内に配置され上下動することで該排水口１２の開閉を行う弁体２と、
弁体２の開閉操作を行う操作部４と、
使用者が押動する為の操作面４１を備え、且つ一方向に往復動作する第一動作体５と、
第一動作体５の動作に連動し、且つ第一動作体５の動作方向とは相違する方向に動作する第二動作体６と、
を備えた遠隔操作式排水栓装置の操作部構造において、
第一動作体５の動作方向を第二操作体の動作方向に変換する為の駆動機構部９を第一動作体５及び第二動作体６に構成し、
前記第一動作体５と第二動作体６を、解除可能な連結手段により連結したことを特徴とする遠隔操作式排水栓装置の操作部構造。
【請求項２】
前記第一動作体５は略水平方向に動作し、
前記第二動作体６は、第一動作体５の動作に対して垂直方向に動作することを特徴とする請求項１に記載の遠隔操作式排水栓装置の操作部構造。
【請求項３】
前記駆動機構部９を駆動子９１と該駆動子９１に対応する傾斜面９２とから構成するとともに、
該駆動子９１を第一動作体５又は第二動作体６のいずれか一方に構成し、
前記傾斜面９２を、駆動子９１が構成されていない側の第一動作体５又は第二動作体６のいずれか一方に構成し、
前記連結手段として、前記駆動子９１の動作をガイドする案内部７を、前記傾斜面９２が構成されている側の第一動作体５又は第二動作体６に構成したことを特徴とする請求項１又は請求項２に記載の遠隔操作式排水栓装置の操作部構造。
【請求項４】
前記駆動子９１を傾斜面９２としたことを特徴とする前記請求項３に記載の遠隔操作式排水栓装置の操作部構造。
【請求項５】
前記案内部７の一部に、駆動子９１を案内部７に導入可能且つ解除可能にするための脱着部７１を構成したことを特徴とする請求項２乃至請求項４に記載の遠隔操作式排水栓装置の操作部構造。
【請求項６】
前記駆動子９１と脱着部７１は、案内部７への導入方向に向かうほどに鋭角となる滑動部８を構成したことを特徴とする請求項５に記載の遠隔操作式排水栓装置の操作部構造。
【請求項７】
前記案内部７を溝形状とし、且つ案内部７内に前記傾斜面９２を構成し、前記駆動子９１が案内部７内でガイドされることを特徴とする請求項２乃至請求項６のいずれか一つに記載の遠隔操作式排水栓装置の操作部構造。
【請求項８】
前記操作部４の操作面４１と槽体１の壁面は、弁体２の開口時又は閉口時のいずれかの時に略面一となることを特徴とする前記請求項１乃至請求項７のいずれか一つに記載の遠隔操作式排水栓装置の操作部構造。
【発明の詳細な説明】
【技術分野】
【０００１】
本発明は、浴槽や洗面台などの槽体排水口に備えられる弁体を遠隔的に操作して開閉させ、槽体内の水を排水／止水する遠隔操作式排水栓装置の操作部に関するものである。
【背景技術】
【０００２】
従来から、槽体の側壁に設けたオーバーフロー口に遠隔操作式排水栓装置の操作部を備え、操作部の作動をオーバーフロー管内に挿通したレリースワイヤを介して槽体底面の排水口に備えた弁体に伝達するようにした遠隔操作式排水栓装置があった。この遠隔操作式排水栓装置は、操作部の押圧操作毎に交互に弁体の開閉が行われるようにしたものである。
また、この従来の遠隔操作式排水栓装置は、上部を前後に回動可能に固定し、且つ操作部の裏面には側面視円弧部分を構成している。また、側面視円弧部分に対応する個所に傾斜面を構成した動作体を構成し、この動作体にはレリースワイヤが接続され、レリースワイヤの他端は弁体が接続されている。
この従来の遠隔操作式排水栓装置は、操作部を水平方向に押動すると、操作部が回動して操作部裏面の円弧面が動作体の傾斜面に当接し、操作部の水平移動動作が垂直方向の動作に変換され、動作体が下方に垂下する。また、リターンスプリングなどの作用により、レリースワイヤが後退すると、動作体もレリースワイヤの後退に併せて垂直方向に上動し、動作体の傾斜面に操作部の円弧部分が当接して操作部が水平方向に回動し、操作部が元の位置に位置することとなる。
以後、この操作部の押動操作の繰り返しにより、排水口の弁体が上動／下降し、排水口が開口／閉口することになる。
（特許文献１参照）
【先行技術文献】
【特許文献】
【０００３】
【特許文献１】特開２０１１−６９７１号
【発明の概要】
【発明が解決しようとする課題】
【０００４】
従来例の遠隔操作式排水栓装置の操作部では以下のような問題があった。
従来から、遠隔操作式排水栓装置の弁体の開閉状態を簡単に視認できるようにしたいという課題があるが、弁体の配置箇所は槽体の底部であり、視認しにくいという問題があった。このような問題から、操作部が取り付け面から飛び出した状態、又は取り付け面と操作部の操作面が面一となった状態、の二つの状態の比較により、弁体の開閉状態を槽体からある程度離れた個所からも視認できるようにするため、動作体と操作部を連結させて、弁体の開口・閉口状態を操作部の操作面の位置により判断するものがあった。
ところが、このような操作部と動作体が接続固定されているものの場合、遠隔操作式排水栓装置を洗面台などに施工後に、例えばオーバーフロー口内部やオーバーフロー管内部を清掃したり、故障時のメンテナンスを行う場合に操作部をオーバーフロー口から取り外さないとならないが、この従来の遠隔操作式排水栓装置の操作部構造では、操作部と動作体が接続固定されている為、操作部がオーバーフロー口から取り外せず、オーバーフロー口内の清掃やレリースワイヤなどの故障時のメンテナンスを行う際は、槽体ごと取り外すなど、非常に大掛かりとなり、専門業者でないと行えず、使用者が手軽に行うことができなかった。
このような問題があったため、操作部と動作体を接続しないようにしたものが前記特許文献に記載の遠隔操作式排水栓装置である。
しかしながら、操作部と動作体を連結させない構成とすると、使用者が操作部を押動した時の動作部自身の反発・反動力により操作部が動作体から離間してしまい、槽体側面から操作部が飛び出したり、最悪の場合には操作部が脱落してしまうことがあった。
また、手指が水濡れ状態で操作部を押動操作すると、操作部と動作体が接続されていないので、手指に付着した水の表面張力の作用により、操作部の操作面が使用者の指に貼りつき、弁体の開閉に関係の無い位置に飛び出してしまい、操作部を視認しても弁体の開閉が正確にわからなくなることがあった。
【０００５】
以上のことから、本願発明は以下の課題を解決する。
１．施工後にオーバーフロー管や取り付け内部を清掃・メンテナンスすることができるようにする。
２．操作部を操作時に、反動などで操作部が取り付け箇所から飛び出したり脱落することを防ぐ。
３．手指に付着した水の表面張力により操作部が取り付け箇所から飛び出すことを防ぐ。
４．槽体表面から操作部操作面が飛び出す、又は面一となることを視認できるようにし、操作部の位置により弁体の開閉が認識できるようにする。
【課題を解決するための手段】
【０００６】
請求項１に記載の遠隔操作式排水栓装置の操作部構造は、槽体１に設けられた排水口１２と、排水口１２内に配置され上下動することで該排水口１２の開閉を行う弁体２と、弁体２の開閉操作を行う操作部４と、使用者が押動する為の操作面４１を備え、且つ一方向に往復動作する第一動作体５と、第一動作体５の動作に連動し、且つ第一動作体５の動作方向とは相違する方向に動作する第二動作体６と、を備えた遠隔操作式排水栓装置の操作部構造において、第一動作体５の動作方向を第二操作体の動作方向に変換する為の駆動機構部９を第一動作体５及び第二動作体６に構成し、前記第一動作体５と第二動作体６を、解除可能な連結手段により連結したことを特徴とする遠隔操作式排水栓装置の操作部構造である。
【０００７】
請求項２に記載の遠隔操作式排水栓装置の操作部構造は、前記第一動作体５は略水平方向に動作し、前記第二動作体６は、第一動作体５の動作に対して垂直方向に動作することを特徴とする前記段落０００６に記載の遠隔操作式排水栓装置の操作部構造である。
【０００８】
請求項３に記載の遠隔操作式排水栓装置の操作部構造は、前記駆動機構部９を駆動子９１と該駆動子９１に対応する傾斜面９２とから構成するとともに、該駆動子９１を第一動作体５又は第二動作体６のいずれか一方に構成し、前記傾斜面９２を、駆動子９１が構成されていない側の第一動作体５又は第二動作体６のいずれか一方に構成し、前記連結手段として、前記駆動子９１の動作をガイドする案内部７を、前記傾斜面９２が構成されている側の第一動作体５又は第二動作体６に構成したことを特徴とする段落０００６又は段落０００７に記載の遠隔操作式排水栓装置の操作部構造である。
【０００９】
請求項４に記載の遠隔操作式排水栓装置の操作部構造は、前記駆動子９１を傾斜面９２としたことを特徴とする前記段落０００８に記載の遠隔操作式排水栓装置の操作部構造である。
【００１０】
請求項５に記載の遠隔操作式排水栓装置の操作部構造は、前記案内部７の一部に、駆動子９１を案内部７に導入可能且つ解除可能にするための脱着部７１を構成したことを特徴とする前記段落０００７乃至段落０００９に記載の遠隔操作式排水栓装置の操作部構造である。
【００１１】
請求項６に記載の遠隔操作式排水栓装置の操作部構造は、前記駆動子９１と脱着部７１は、案内部７への導入方向に向かうほどに鋭角となる滑動部８を構成したことを特徴とする前記段落００１０に記載の遠隔操作式排水栓装置の操作部構造である。
【００１２】
請求項７に記載の遠隔操作式排水栓装置の操作部構造は、前記案内部７を溝形状とし、且つ案内部７内に前記傾斜面９２を構成し、前記駆動子９１が案内部７内でガイドされることを特徴とする段落０００７乃至段落００１１のいずれか一つに記載の遠隔操作式排水栓装置の操作部構造である。
【００１３】
請求項８に記載の遠隔操作式排水栓装置の操作部構造は、前記操作部４の操作面４１と槽体１の壁面は、弁体２の開口時又は閉口時のいずれかの時に略面一となることを特徴とする前記段落０００６乃至段落００１２のいずれか一つに記載の遠隔操作式排水栓装置の操作部構造である。
【発明の効果】
【００１４】
請求項１に記載の本発明は、第一動作体５の動作方向を第二操作体の動作方向に変換する為の駆動機構部９を第一動作体５及び第二動作体６に構成し、第一動作体５と第二動作体６を、解除可能な連結手段により連結したことにより、操作部４が不用意に飛び出したり、脱落するようなことが無い。また、遠隔操作式排水栓装置の施工後であっても、簡単に操作部を脱着することができる。
請求項２に記載の本発明は、第一動作体５は略水平方向に動作し、前記第二動作体６は、第一動作体５の動作に対して垂直方向に動作することにより、水平方向の動作方向を垂直方向に変換することができる。
請求項３に記載の本発明は、駆動機構部９を駆動子９１と該駆動子９１に対応する傾斜面９２とから構成するとともに、該駆動子９１を第一動作体５又は第二動作体６のいずれか一方に構成し、前記傾斜面９２を、駆動子９１が構成されていない側の第一動作体５又は第二動作体６のいずれか一方に構成し、前記連結手段として、前記駆動子９１の動作をガイドする案内部７を、前記傾斜面９２が構成されている側の第一動作体５又は第二動作体６に構成したことにより、操作部４が不用意に飛び出したり、脱落するようなことが無い。
請求項４に記載の本発明は、駆動子９１を傾斜面９２としたことにより、動作方向を別方向に変換することができる。
請求項５に記載の本発明は、案内部７の一部に、駆動子９１を案内部７に導入可能且つ解除可能にするための脱着部７１を構成したことにより、施工後に操作部４を取り付け、取り外しが可能となり、メンテナンスや清掃が容易となる。
請求項６に記載の本発明は、駆動子９１と脱着部７１は、案内部７への導入方向に向かうほどに鋭角となる滑動部８を構成したことにより、駆動子９２と案内部７の導入時に滑りやすくなり、円滑に導入することが可能となる。
請求項７に記載の本発明は、案内部７を溝形状とし、且つ案内部７内に前記傾斜面９２を構成したことにより、操作部４が不用意に飛び出したり、脱落するようなことが無い。
請求項８に記載の本発明は、操作部４の操作面４１と槽体１の壁面は、弁体２の開口時又は閉口時のいずれかの時に略面一としたことにより、弁体２の開口／閉口が視認できるようになる。
【図面の簡単な説明】
【００１５】
【図１】本発明の実施例の施工状態あって、かつ弁体の開口時を示す図５（ｂ）におけるＢ−Ｂ’断面図である。
【図２】本発明の実施例の施工状態あって、かつ弁体の閉口時を示す図５（ｂ）におけるＢ−Ｂ’断面図である。
【図３】本発明の実施例の遠隔操作式排水栓装置の斜視図である。
【図４】（ａ）弁体の開口時を示す、図５（ｂ）におけるＣ−Ｃ’断面図である。（ｂ）弁体の閉口時を示す、図５（ｂ）におけるＣ−Ｃ’断面図である。
【図５】（ａ）弁体の開口時を示す、図１におけるＡ−Ａ’断面図である。（ｂ）弁体の閉口時を示す、図１におけるＡ−Ａ’断面図である。
【図６】（ａ）第一動作体を第二動作体に取り付ける前の状態を示す図５（ｂ）におけるＣ−Ｃ’断面図（ｂ）第一動作体を第二動作体に取り付けている途中であって、滑動部の作用を示す図５（ｂ）におけるＣ−Ｃ’断面図（ｃ）第一動作体を第二動作体に取り付けている途中であって、駆動子が脱着部から凹溝に導入する作用を示す図５（ｂ）におけるＣ−Ｃ’断面図
【図７】（ａ）第一動作体を第二動作体から取り外し開始時を示す図５（ｂ）におけるＣ−Ｃ’断面図（ｂ）第一動作体を第二動作体から取り外し時を示し、脱着部から駆動子が外れた状態を示す図５（ｂ）におけるＣ−Ｃ’断面図（ｃ）第一動作体を第二動作体から取り外した状態であって、弁体が開口時の第二動作部が自重により降下した状態を示す図５（ｂ）におけるＣ−Ｃ’断面図
【図８】本発明の実施例における第二動作体の斜視図である。
【図９】本発明の実施例における第一動作体の斜視図である。
【図１０】本発明の実施例における第一動作体と第二動作体の位置関係を示す、オーバーフロー管を省略した斜視図である。
【図１１】本発明の実施例のオーバーフロー管を示す第一動作体と第二動作体を省略した斜視図である。
【発明を実施するための形態】
【実施例１】
【００１６】
本実施例の遠隔操作式排水栓装置の操作部構造は、図１乃至図３に示すように、槽体１と、弁体２と、操作部４と、レリースワイヤ３と、第一動作体５と、第二動作体６と、駆動機構部９と、連結手段と、保持機構部３４と、排水管１５と、排水トラップから構成される。
槽体１は、本実施例では図１に示す台所の流し台に取り付けられる箱体であって、その内部は水を貯水したり、排水を行う。槽体１側面は略垂直形状であって、且つ槽体１底部には排水口１２を開口し、該排水口１２には排水管１５が接続される。また、槽体１側面は略垂直面であって、槽体１の貯水が溢れたりしないよう、溢れ水を排水管１５へ排水するようオーバーフロー口１４を開口している。尚、槽体１側面の略垂直とは、若干の傾斜面や角部のＲ形状なども含む。オーバーフロー口１４にはオーバーフロー管１３が接続しており、当該オーバーフロー管１３は図３に示したように、途中位置で屈曲して排水管１５へ接続されている。槽体１内の水位が上昇したとしても、オーバーフロー口１４まで水位がくるとオーバーフロー口１４からオーバーフロー管１３を介して排水管１５へ排水されるので、槽体１から水が溢れるようなことはない。
また、オーバーフロー管１３内壁には、図１１に示すように、第一動作体５の水平方向の動作をガイドする凹溝上のレール体１６と、第二動作体の垂直方向の動作をガイドするレール体１７をそれぞれ構成する。
排水管１５は、上流を槽体１の排水口１２に接続する管体であって、途中に排水トラップを介して下流を下水管へ接続する。槽体１内の排水を下水管へと排水する為の管体である。
排水トラップは、図示しないが排水管１５の途中箇所に、内部に排水の一部を貯水して封水を構成して、下水側と室内側の流路を封水により遮断し、当該封水により下水からの害虫や臭気が室内側へ逆流しないように構成される。尚、本実施例では水封式排水トラップを採用しているが、特に水封式排水トラップに限定しない。室内側と下水側を遮断するものであれば特に問題が無い。
【００１７】
操作部４は、弁体２の開閉操作を遠隔的に行うために使用者が操作を行う部分であって、使用者が操作部４を押動操作する毎に弁体２が上昇、下降を繰り返す。操作部４の槽体１側に露出する表面は操作面４１であり、使用者が操作するために触れる面である。
本実施例では、槽体１のオーバーフロー口１４内のオーバーフロー管１３内部に操作部４を配置しており、図１のように弁体２の開口が完了した状態時において操作面４１と槽体１側面は略面一となる。また、図２のように、弁体２の閉口が完了した状態時において、操作面４１は槽体１側面から突出するように配置される。
また、操作部４の操作面４１の背面には、後述する第一動作体５が一体的に構成されており、使用者が操作部４の操作面４１を押し操作すると、操作部４がオーバーフロー口１４内に向かって往復動作可能且つ水平方向に動作可能に配置されている。
弁体２は、槽体１の排水口１２内に配置され、上下動することで排水口１２の開口・閉口を行う。図１のように弁体２が上昇して排水口１２から離間している際は排水口１２が開口となり、槽体１内の水が排水口１２から槽体１外へ排水される。また、図２のように弁体２が下降して排水口１２に着座している際は排水口１２が密閉されるので、槽体１内部に水を貯水できる。また、弁体２は、弁体２から離れた個所に構成される操作部４を操作することで、遠隔的に開閉可能である。
レバー体２１は、弁体２の下方に回動可能に軸着され、レリースワイヤ３のインナーワイヤ３１の進退に併せてレバーが回動し、レバー体２１先端が上昇・下降する。レバー体２１先端には弁体２が載置されている為、図１のようにレバー体２１が上昇した時は弁体２が上昇し、図２のようにレバー体２１が下降した際は弁体２も下降する。
レリースワイヤ３は、第二動作体６からレバー体２１まで連結されており、操作部４の操作を弁体２側へ伝達する。レリースワイヤ３は、可撓性の中空管から成るアウターチューブ３２と、アウターチューブ３２内に進退自在に配される剛性を有した金属線から成るインナーワイヤ３１と、から構成される。尚、インナーワイヤ３１の進行方向とは、インナーワイヤ３１が弁体２側へ進行する方向であり、退行方向とは、インナーワイヤ３１が操作部４側へ進行する方向をいう。また、インナーワイヤ３１は、リターンスプリング３３により常時退行方向に付勢されている。本実施例では、第二動作体６とレリースワイヤ３端部はリターンスプリング３３の付勢により、図１、図２に示すように、常時当接して連結されている。
レリースワイヤ３は、オーバーフロー管１３内部にその一部が配置されるが、図３に示すように、オーバーフロー管１３の途中箇所でオーバーフロー管１３の外部へ配線され、排水口１２のレバー体２１に連結される。
保持機構部３４は、レリースワイヤ３の操作部４側端部に構成されており、レリースワイヤ３におけるインナーワイヤ３１の進退を保持／解除する部材であって、ノック式ボールペンの進退を保持する保持機構に使用されるスラストロック機構を採用している。操作部４を押動すると、レリースワイヤ３のインナーワイヤ３１が進行し弁体２が押し上げられ、この際に保持機構部３４によってインナーワイヤ３１の進行が保持される。再度操作部４を押動すると、インナーワイヤ３１が退行して保持機構部３４の保持が解除され、リターンスプリング３３の付勢によりインナーワイヤ３１が後退する。インナーワイヤ３１が後退すると、弁体２が下降して排水口１２に着座し閉栓する。このように、保持機構部３４はインナーワイヤ３１の進退を保持／解除する。
【００１８】
第一動作体５は、オーバーフロー口１４を介してオーバーフロー管１３内に配置され、使用者が押動する為の操作面４１を備えるとともに、図９に示すように、操作面４１から後方（背面方向）に向かって延出する二本の脚部５１を構成し、脚部５１内側面に駆動機構部９である駆動子９１を構成する。第一動作体５は、オーバーフロー口１４を介してオーバーフロー管１３内を水平方向かつ往復可能に動作可能な部材である。また、第一動作体５は一方向に動作するが、これはある一定の方向の往復動作をすることをいう。
また、第一動作体５の脚部５１側壁には、水平方向の動作をガイドするために、オーバーフロー管１３内周壁に構成したレール体１６にスライド自在に取り付けられる凸部５２を構成する。
第二動作体６は、第一動作体５の動作方向に対して相違する方向に動作する部材であって、本実施例ではオーバーフロー配管内を垂直方向且つ往復可能に動作する。また、図８に示すように、第二動作体６には駆動機構部９である傾斜面９２を構成している。この傾斜面９２は、第二動作体６に形成した凹溝６１に形成され、当該凹溝６１には第一動作体５の駆動子９１が進退自在にはめ込まれ、傾斜面９２上を駆動子９１が進退自在に摺動する。また、第二動作体６は、オーバーフロー管１３の内壁面に構成された溝から成るレール体１７により上下動自在であるが水平方向の移動は不可となるように位置決めされる。よって、第一動作体５の水平方向の動作に併せて駆動子９１が案内部７の傾斜面９２上を摺動し、駆動子９１の摺動動作によって第二動作体６が垂直方向に動作方向が変換されて動作する。また、第二動作体６にはレリースワイヤ３が当接されているため、操作部４の操作をレリースワイヤ３に伝達することが可能である。
また、第二動作体６の側面には、垂直方向の動作をガイドするために、オーバーフロー管１３内周壁に構成したレール体１７にスライド自在に取り付けられる凸部６２を構成する。
案内部７は、駆動子９１の動作をガイドして、駆動子９１が凹溝６１から不用意に脱落しないようにするものであり、第一動作体５と第二動作体６の連結手段として機能する。尚、この連結手段は脱着部７１を構成していることにより解除可能となっている。本実施例では凹溝６１の傾斜面９２と対向する面が案内部７として機能する。この案内部７に駆動子９１がガイドされることにより、駆動子９１が構成されている第一動作体５と、傾斜面９２が構成されている第二動作体６が連結され、通常使用時に駆動子９１が傾斜面９２から外れるようなことがない。よって、通常使用時に誤って槽体１から第一動作体５が脱落するようなことや、水の表面張力により第一動作体５が飛び出してしまうようなことが無い。
駆動機構部９は、図１０に示すように、第一動作体５の動作方向を第二動作体６の動作方向に変換する為の機構部であって、本実施例では、傾斜面９２を利用し、第一動作体５の水平方向の動作方向を、第二動作体６の垂直方向の動作方向に変換する。
駆動機構部９は、第一動作体５に構成した駆動子９１と、第二動作体６に構成した傾斜面９２から構成され、駆動子９１は、第二動作体６に構成された傾斜面９２と合致する傾斜を備えて構成される。駆動子９１の傾斜面と第二動作体６の傾斜面９２は当接して配置され、第一動作体５を水平方向に押し動作させると、第一動作体５の駆動子９１も第二動作体６の傾斜面９２上で水平方向に移動しつつ駆動子９１が第二動作体６の傾斜面９２上で摺動し、図４（ａ）のように、その摺動とともに第二動作体６は垂直方向下方に押し下げられる。また、レリースワイヤ３のリターンスプリング３３の反発力により、レリースワイヤ３が上昇すると、図４（ｂ）に示すように、レリースワイヤ３が当接している第二動作体６が垂直方向上方に押し上げられる。このとき、第二動作体６の上昇に伴い、第一動作体５の駆動子９１と第二動作体６の傾斜面９２により垂直方向の動きが水平方向の動作に変換され、第一動作体５が水平移動し、槽体手前側へと押し戻される。
駆動子９１は、駆動機構部９であって、図９に示すように、第一動作体５の脚部５１側面から側面方向に突出して凸条に構成されており、第二動作体６の傾斜面９２と合致する傾斜を備えている。また、駆動子９１には滑動部８を構成する。
傾斜面９２は、駆動機構部９であって、図８に示すように、第二動作体６の凹溝６１に構成される。前記駆動子９１の傾斜する面と合致して摺動する傾斜面９２であり、本実施例では第一動作体５の複数の駆動子９１に対応するよう構成されており、第一動作体５の脚部５１間に構成されている。
脱着部７１は、駆動子９１を案内部７に簡単に導入可能且つ解除可能にするために第二動作体６に備えられる。駆動子９１を案内部７へ導入させるための脱着部７１は、第二動作体６の案内部７の一部を切り欠いて構成する。この案内部７により、第一動作体５と第二動作体６の導入取付を簡単かつ円滑に行うことが可能となる。また、駆動子９１を案内部７から取り外すための脱着部７１は、第二動作体６の案内部７の凹溝６１の端部、つまり凹溝６１の操作部４側端部を開口することで、第一動作体５を水平方向に引っ張ると、駆動子９１が凹溝６１の端部から抜ける為、引っ張るだけで簡単に取り外すことが可能となる。
滑動部８は、駆動機構部９の駆動子９１に構成されており、脱着部７１に向けて鋭角となる角度が構成されている。また、第二動作体６の案内部７にも、脱着部７１側端部に向けて鋭角となる角度の滑動部８が構成される。この滑動部８は、操作部４である第一動作体５を第二動作体６の案内部７に導入させる際に、両者の滑動部８の傾斜面を滑動させることで導入させやすくするものである。
【００１９】
槽体１内に排水が発生した際には以下のような流れとなる。
排水口１２の弁体２が閉口している際には、操作部４を操作して弁体２を上昇させ、排水口１２を開栓する。槽体１内の排水は、排水口１２から排水管１５へ流排水され、槽体１外へ排水される。排水管１５に流入した排水は、排水トラップを介して最終的には下水管へと排水される。
尚、槽体１内に水を貯水する際には、排水口１２の弁体２を操作して下降させ、弁体２を排水口１２に着座させる。そうすると、排水口１２は弁体２により閉口されるので、槽体１内に水を貯水することができる。
【００２０】
上記の遠隔操作式排水栓装置の操作部構造は以下のように動作する。
図１のように排水口１２の弁体２が上昇して排水口１２が開口状態の際に、槽体１側面と略面一となっている操作部４の操作面４１を水平方向に押動すると、操作部４背面に一体的に構成された第一動作体５の駆動子９１も同様に水平方向に移動する。すると、駆動子９１が第二動作体６の傾斜面９２に当接し、且つ第二動作体６は上下動自在且つ水平方向移動不可に位置決めされている為、傾斜面９２と駆動子９１が摺動しながら第二動作体６が下方に移動する。すなわち、第一動作体５の駆動子９１の水平方向の動作方向が垂直方向の動作に変換されて第二動作体６が下方へ移動する。
そうすると、第二操作体に接続されたレリースワイヤ３のインナーワイヤ３１が第二動作体６の動作に併せて進行し、保持機構部３４によるインナーワイヤ３１の保持が解除され、レリースワイヤ３のリターンスプリング３３の付勢力によりインナーワイヤ３１が後退する。そうするとインナーワイヤ３１の後退に併せて、レリースワイヤ３が当接している第二動作体６が垂直方向に上昇し、当該上昇に併せて駆動機構部９も連動して第一動作体５が水平方向に後退し、図４（ｂ）に示すように操作部４の操作面４１が槽体１側面より突出した位置となる。この状態時、図２のようにインナーワイヤ３１の後退に連動して排水口１２のレバー体２１が下降し、排水口１２に弁体２が自重により着座する。そうすると排水口１２が閉口するので、槽体１内に水を貯水することが可能となる。
排水口１２閉口状態から、再度操作部４の操作面４１を水平方向に押動すると、操作部４背面に一体的に構成された第一動作体５の駆動子９１も同様に水平方向に移動する。すると、駆動子９１が第二動作体６の傾斜面９２に当接し、且つ第二動作体６は上下動自在且つ水平方向移動不可に位置決めされている為、傾斜面９２と駆動子９１が摺動しながら第二動作体６が下方に移動する。すなわち、第一動作体５の駆動子９１の水平方向の動作方向が垂直方向の動作に変換されて第二動作体６が下方へ移動する。
そうすると、レリースワイヤ３のインナーワイヤ３１が進行し、インナーワイヤ３１の他端に接続されているレバー体２１がインナーワイヤ３１の進行に連動し上昇する。そうすると、保持機構部３４によりインナーワイヤ３１の進行が保持される。インナーワイヤ３１の保持が行われると、インナーワイヤ３１は予め設定された遊び長さ分進行した後、リターンスプリング３３により遊ぶ分後退する。この状態において、図４（ａ）のように、操作部４の操作面４１は槽体１側面と略面一となっている。また、レバー体２１が上昇する為、図１のように弁体２も併せて上昇し、排水口１２が開口し、槽体１内部の水を排水口１２から槽体１外へ排水することが可能となる。
以後、上記操作部４の操作の繰り返しにより排水口１２の開口・閉口が可能となる。
第一動作体５と第二動作体６は案内部７に駆動子９１が配置されている為に連結されている。このため、操作部４から使用者が手を離した状態において、排水口１２の弁体２閉口時は、図５（ｂ）のように確実に操作部４の操作面４１は槽体１側面より突出し、排水口１２の弁体２開口時には、図５（ａ）のように確実に操作部４の操作面４１は槽体１側面と略面一となる。第二動作体６の位置に応じて第一動作体５の位置も確実に定まり、表面張力などにより操作部４が勝手に動いてしまうということがなくなる。
【００２１】
操作部４である第一動作体５と第二動作体６の施工後の脱着は以下の手順で行われる。
第一動作体５を第二動作体６から取り外す際は、図７（ａ）に示すように、操作部４を例えば吸盤などで水平方向に引っ張ると、水平方向の後退動作に併せて動く駆動子９１により、図７（ｂ）のように第二動作体６は一旦上方に移動する為、第二動作体６の凹溝６１前面の脱着部７１から駆動子９１を簡単に取り外すことができる。第一動作体５が外れると、図７（ｃ）のように第二動作体６は自重によりレリースワイヤと当接する位置まで垂直方向下方に落下する。尚、図７（ｃ）の状態は、弁体２が開口状態の時であり、図示しないが、弁体２が閉口状態の際には、第二動作体６は既に垂直方向上方に上昇している為、第一動作体５を取り外しても自重により第二動作体６が落下することはなく、適正箇所のまま位置される。
また、この図６（ａ）の状態から、第一動作体５を第二動作体６に取り付ける際は、第一動作体５をオーバーフロー口１４を介してオーバーフロー管１３内部に差し込むと、第一動作体５の駆動子９１が下降している第二動作体６の案内部７上部の傾斜面に当接する。案内部７上部に駆動子９１が当接したまま第一動作体５をそのまま水平方向に押し込むと、案内部７と駆動子９１の当接により第二動作体６が垂直方向下方に下降する。このとき、第二動作体６の下方には遊び空間が構成されている為、遊び空間分下降可能である。第二動作体６が下降すると、図６（ｂ）のように案内部７の滑動部８に駆動子９１の滑動部８が当接し、円滑に第一動作体５の駆動子９１が第二動作体６の案内部７に当接しながら、図６（ｃ）のように脱着部７１からなめらかに凹溝５１へ導入できる。このとき、滑動部８により、傾斜角度を導入方向に向かうほど鋭角とするようにしているため、導入が円滑となる。
このように、第一動作体５と第二動作体６は施工後でも取り付け、取り外しが容易である為、オーバーフロー口１４内の清掃であったり、メンテナンスが簡単にできる。
【００２２】
本発明は前記した実施例のほか、特許請求の範囲を越えない範囲で適宜変更は可能である。
駆動機構部９の構造は上記実施例に限定されない。第一動作体５の動作方向を第二動作体６に変換する機構であればよい。図示しないが、方向変換のためのギア構造や、アーム構造などを採用しても良い。
案内部７の形状は上記実施例に限定されない。駆動子９１の動作をガイドする形状であればよい。例えば、ツメ状の凸同士を係合させても良い。
上記実施例では第一動作体５の動作方向を水平方向、第二動作体６の動作方向を垂直方向としているが、当該方向に限定されない。例えば第一動作体５を垂直方向の動作方向、第二動作体６を水平方向の動作方向としてもよいし、第一動作体５の動作方向を傾斜方向、第二動作体６の動作方向を傾斜方向、などとしてもよい。
脱着部７１の形状は上記実施例に限定されない。
また、操作部の位置は上記実施例に限定されない。例えば、槽体天面に構成したり、槽体の内側面又は外側面に構成しても良い。
操作部の操作方向は槽体の面に対して水平方向に動作させても良い。
【符号の説明】
【００２３】
１    槽体
１２  排水口
１３  オーバーフロー管
１４  オーバーフロー口
１５  排水管
１６、１７  レール体
２    弁体
２１  レバー体
３    レリースワイヤ
３１  インナーワイヤ
３２  アウターチューブ
３３  リターンスプリング
３４  保持機構部
４    操作部
４１  操作面
５    第一動作体
５１  脚部
５２  凸部
６    第二動作体
６１  凹溝
６２  凸部
７    案内部（連結手段）
７１  脱着部
８    滑動部
９    駆動機構部
９１  駆動子
９２  傾斜面
【図１】
2020133239.tif 000003
【図２】
2020133239.tif 000004
【図３】
2020133239.tif 000005
【図４】
2020133239.tif 000006
【図５】
2020133239.tif 000007
【図６】
2020133239.tif 000008
【図７】
2020133239.tif 000009
【図８】
2020133239.tif 000010
【図９】
2020133239.tif 000011
【図１０】
2020133239.tif 000012
【図１１】
2020133239.tif 000013